(57)【要約】【課題】作業者が、火災感知器の設置位置から離れた位置にいたとしても感知器本体の方向をベース本体の取付方向に合せることが容易な火災感知器を提供する。【解決手段】感知器本体２と、感知器本体２を取り付けるベース本体１と、備える火災感知器において、ベース本体１を、ベース本体１とは一体的に形成された方向表示部１１を有するものとし、方向表示部１１を、感知器本体２をベース本体１に取り付ける方向を表示するものであると共にベース本体１の地色とは異なる色をなすものとする。【選択図】図１
2019174897.tif 000002
【特許請求の範囲】
【請求項１】
感知器本体と、
該感知器本体を取り付けるベース本体と、を備え、
該ベース本体は、該ベース本体とは一体的に形成された方向表示部を有しており、
該方向表示部は、該感知器本体を該ベース本体に取り付ける方向を表示するものであると共に該ベース本体の地色とは異なる色となっていること特徴とする火災感知器。
【請求項２】
前記ベース本体は、レーザマーキング部を有しており、
前記方向表示部は、該レーザマーキング部に設けられていることを特徴とする請求項１に記載の火災感知器。
【請求項３】
前記レーザマーキング部は、レーザ印字部であり、
該レーザ印字部は、前記ベース本体の配線位置を示す配線表示部であることを特徴とする請求項２に記載の火災感知器。
【請求項４】
前記配線表示部は、前記ベース本体の複数箇所に設けられており、
前記方向表示部は、該配線表示部の少なくとも１箇所に設けられ、
該方向表示部が設けられた該配線表示部は、白抜きの前記レーザ印字部であり、その他の該配線表示部は、黒字の該レーザ印字部であることを特徴する請求項３に記載の火災感知器。
【請求項５】
前記感知器本体は、確認灯を１個有しており、
前記方向表示部は、前記ベース本体に該感知器本体が取付けられた際に、平面視において、該確認灯側又は該確認灯とは該ベース本体の中心に対して反対側に位置する様に設けられていることを特徴とする請求項１乃至４の何れかに記載の火災感知器。
【請求項６】
前記感知器本体は、前記ベース本体に対して回動させることで取り付けられるものであり、
前記方向表示部は、該感知器本体の回動の起点近傍に設けられていることを特徴とする請求項１乃至４の何れかに記載の火災感知器。
【発明の詳細な説明】
【技術分野】
【０００１】
本発明は、火災感知器に関し、より詳細には、ベース本体及び感知器本体を備える火災感知器に関する。
【背景技術】
【０００２】
従来、建造物の天井や壁等に取付けられる火災感知器がある。この様な火災感知器は、天井面や壁面等の設置面に取付けられるベース本体と、該ベース本体に取付けられる感知器本体からなっている（例えば、特許文献１を参照）。通常、リード線等の火災感知器への通電手段はベース本体側に接続されるためベース本体と感知器本体とを電気的に接続するための接点となる端子が各々に設けられている。
【０００３】
前記端子として、感知器本体に設けられる刃金具並びにベース本体に設けられる刃受金具及び接触バネの様な電気的接点と感知器本体をベース本体に保持するための取付具を兼ねるものもある。この場合においては、刃金具を刃受金具及び接触バネにより挟持することにより、感知器本体はベース本体に取付けられると共に電気的に接続される。
【先行技術文献】
【特許文献】
【０００４】
【特許文献１】特許第４４２６０３３号公報
【発明の概要】
【発明が解決しようとする課題】
【０００５】
火災感知器には、感知器本体とベース本体各々の複数箇所（通常、２箇所又は４箇所）に端子が設けられるが、回路の関係上、感知器本体側の端子毎に接続されるべきベース本体側の端子は決まっており、そのため、感知器本体は、ある一定の方向でベース本体と対向させなければベース本体に取付けられない様になっている。感知器本体はベース本体に対し、所定の位置から回転されることで、刃金具が刃受金具および接触バネに挟持され、感知器本体がベース本体に取り付けられる。
【０００６】
火災感知器は、ベース本体と感知器本体とが同時に設置面に取付けられるとは限らないものである。又、火災感知器は、ある一定年数が経過した後に、更新が必要となったり、何かしらの要因で破損した場合には、交換をしたりする必要があるものである。ベース本体に対して、感知器本体を別個に取り付ける際には、通常、作業者が床面や地面等に立って、火災感知器の設置位置から離れた位置から伸縮自在の支持棒の先端に設けられる専用の治具（着脱器）を、支持棒を延ばすことで火災感知器の設置面まで延ばし、感知器本体の着脱を行っている。
【０００７】
さらに、火災感知器は、吹き抜けの天井面等の高所に設置される場合がある。その場合、床面等の火災感知器の設置面から離れた位置からは、ベース本体の向いている方向を目視で確認することができないため、その取付方向に感知器本体を向けて感知器本体の着脱作業を行うことは容易ではなかった。
【０００８】
そこで、本発明は、作業者が、火災感知器の設置位置から離れた位置にいたとしても感知器本体の方向をベース本体の取付方向に合せることが容易な火災感知器を提供することを目的とする。
【課題を解決するための手段】
【０００９】
本発明は、感知器本体と、該感知器本体を取り付けるベース本体と、備え、該ベース本体は、該ベース本体とは一体的に形成された方向表示部を有しており、該方向表示部は、該感知器本体を該ベース本体に取り付ける方向を表示するものであると共に該ベース本体の地色とは異なる色となっていること特徴とする火災感知器である。
【００１０】
尚、本発明は、前記ベース本体は、レーザマーキング部を有するものとし、前記方向表示部を、該レーザマーキング部に設けられているものとすることができる。又、本発明は、前記レーザマーキング部は、レーザ印字部とし、該レーザ印字部は、前記ベース本体の配線位置を示す配線表示部とすることができる。又、本発明は、前記配線表示部を、前記ベース本体の複数箇所に設け、前記方向表示部を、該配線表示部の少なくとも１箇所に設け、該方向表示部が設けられた該配線表示部を、白抜きの前記レーザ印字部とし、その他の該配線表示部を、黒字の該レーザ印字部とすることができる。
【００１１】
更に、本発明は、前記感知器本体は、確認灯を１個有するものとし、前記方向表示部を、前記ベース本体に該感知器本体が取付けられた際に、平面視において、該確認灯側又は該確認灯とは該ベース本体の中心に対して反対側に位置する様に設けることができる。又、本発明は、前記感知器本体を、前記ベース本体に対して回動させることで取り付けられるものとし、前記方向表示部を、該感知器本体の回動の起点近傍に設けることができる。
【００１２】
尚、本発明において、火災感知器の上下方向は、火災感知器を水平面に載置した状態、つまり、ベース本体が下方側に感知器本体が上方側に位置した状態を基準に定めるものとし、ベース本体についても、火災感知器に準ずるものとする。
【発明の効果】
【００１３】
本発明は、ベース本体の地色とは異なる色の方向表示部を設けたので、例え、作業者が火災感知器の設置位置から離れた位置にいたとしても該方向表示部を目視することが可能であり、容易に感知器本体の方向をベース本体の取付方向に合せること可能である。
【図面の簡単な説明】
【００１４】
【図１】本発明の実施形態を示す図であり、ベース本体の平面図である。
【図２】本発明の実施形態を示す図であり、感知器本体の平面図である。
【発明を実施するための形態】
【００１５】
本発明の実施形態を図１及び図２に基づき説明する。本実施形態の火災感知器は、ベース本体１に取付けられる感知器本体２を備えており、感知器本体２は、ベース本体１に対して回動することにより取り付けられる。
【００１６】
感知器本体２は、火災発生を感知するための要因、例えば、煙、熱や炎等を感知するためのセンサ類（図示せず）が設けられている。感知器本体２は、底面には後述するベース本体１の刃受金具８及び接触バネ７とで挟持されることで感知器本体２をベース本体１に保持すると共に感知器本体２をベース本体１に電気的に接続するための刃金具３が刃受金具８及び接触バネ７の数に応じて設けられる（本実施形態においては、刃金具３は、４箇所設けられている）。又、感知器本体２の外周面２ａには、火災感知器の作動を視覚的に認識させるために点灯する確認灯４が１個設けられている。
【００１７】
ベース本体１は、周壁５が立設された略環状体をなしており、設置面に取付けるための螺子止部６が形成されている。ベース本体１の天壁１ａには、周方向に間欠的に接触バネ７及び接触バネ７を覆う様に設けられた刃受金具８が取付けられている。刃受金具８及び接触バネ７は、それらの間に、感知器本体２の刃金具３を挟持可能且つ火災感知器への電気供給手段、例えば、リード線を接続可能に設けられている。受金具８及び接触バネ７は、刃金具３に対応する箇所に、刃金具３と同数（本実施形態おいては４箇所）設けられる。
【００１８】
又、ベース本体１の外周面１ｂには、終点表示部９が設けられている。終点表示部９は、感知器本体２をベース本体３に取付けた際に確認灯４が位置する部分に設けられており、確認灯４の位置を基準とした感知器本体２の回動の終点を示している。本実施形態においては、終点表示部９は、確認灯４と略一直線上に並ぶ様に形成されたリブとして設けられており、ベース本体１の地色と同色をなしている。
【００１９】
即ち、感知器本体２は、ベース本体１の終点表示部９の方向に確認灯４が向くように、詳細には終点表示部９より少し反時計回りに回した位置に確認灯４が向くようにセットし、感知器本体２を回動させることで、ベース本体１に取り付けることができる。
【００２０】
ベース本体１の天壁１ａには、レーザを用いてベース本体１の地色とは異なる色となる様に且つベース本体１と一体的となる様にマーキングされたレーザマーキング部の一種たるレーザ印字部１０Ａ，１０Ｂ，１０Ｃ，１０Ｄが更に設けられている。本実施形態において、レーザ印字部１０Ａ，１０Ｂ，１０Ｃ，１０Ｄは、配線表示部となっており、各刃受金具８及び接触バネ７に接続されるべき配線の配線位置（Ｌ，Ｃ，Ｘ１，Ｘ２等の端子記号）を示しており、対応する刃受金具８及び／又は接触バネ７各々の近傍に設けられている。なお、レーザマーキング部は文字だけに限らず、矢印のような図形や模様のようなものでも良い。
【００２１】
レーザ印字部１０Ａ，１０Ｂ，１０Ｃ，１０Ｄの内の少なくとも１箇所（本実施形態においては、レーザ印字部１０Ａ）は、他の箇所（本実施形態においては、レーザ印字部１０Ｂ，１０Ｃ，１０Ｄ）と明確に区別できる態様で且つより視認し易い態様でマーキング（印字）されており、感知器本体２をベース本体１に取り付ける際に、感知器本体２の取付方向を確認する方向表示部としての役割を担っている（以下、レーザ印字部１０Ａを方向表示部１１と表記する）。
【００２２】
本実施形態においては、ベース本体１の色が白系であり、方向表示部１１は、黒地に白抜きで印字されており、他のレーザ印字部１０Ｂ，１０Ｃ，１０Ｄは黒字で印字されている。方向表示部１１は、黒地に白抜きで印字されることで、該火災感知器の設置面より離れた位置からも視認し易い様になっている。尚、方向表示部１１は、白抜きで記載されている文字そのものが該火災感知器の設置面より離れた位置からも視認し易い様になっている必要はなく、本実施の形態では離れた位置から文字は読めなくても黒地が視認可能である。
【００２３】
方向表示部１１は、望ましくは、感知器本体２をベース本体１に取付けた際に、平面視において、確認灯４側（本実施形態においては、終点表示部９側でもある）又は確認灯４とはベース本体１の中心Ｏに対して反対側（例えば、レーザ印字部１０Ｃが設けられている位置）に位置する様に設けられている。
【００２４】
天井等の比較的高所に設置された前記火災感知器の感知器本体２を床面等の該火災感知器の設置面から離れた位置からベース本体１に取付ける際には、先ず、着脱器等の治具（図示せず）に感知器本体２に取付け、ベース本体１に対する感知器本体２の取付方向をベース本体１の方向表示部１１によって確認し、該取付方向（本実施形態においては、方向表示部１１が設けられている方向）に確認灯４を向ける。その後、ベース本体１まで該治具を伸ばして、感知器本体２をベース本体１へと差込み、回動させればよい。尚、感知器本体２の更新・交換作業においては、古い感知器本体２の取り外し作業についても該治具を用いて行われる。
【００２５】
この際、方向表示部１１は、ベース本体１の地色と異なるため目立ち、火災感知器の設置面から離れた位置からでも視認することが容易である。従って、本実施形態の火災感知器においては、作業者が、火災感知器の設置位置から離れた位置にいたとしても感知器本体２の方向をベース本体１の取付方向に合せることが容易である。
【００２６】
本発明を上記実施形態に基づき説明したが、本発明は上記実施形態に限定されるものではなく発明の要旨を変更しない範囲で適宜変更可能である。
【００２７】
例えば、（１）上記実施形態においては、方向表示部１１は、配線表示部を兼ねるものであったが、方向表示部１１を配線表示部とは別個に設けることも可能である。
【００２８】
（２）上記実施形態においては、方向表示部１１は、ベース本体１に印字されたものであったが、文字に限定されるものではなく、図形その他文字以外のものであってもよい。
【００２９】
（３）上記実施形態においては、方向表示部１１を、レーザを用いてマーキング（印字）したが、方向表示部１１を、ベース本体１と一体的に且つベース本体１の地色と異なる色で設けることができれば、他の方法によって方向表示部１１を設けてもよい。例えば、二色成形や印刷その他の方法でベース本体１上に設けることが可能である。
【００３０】
（４）上記実施形態においては、方向表示部１１を、ベース本体１の天壁１ａに設けたが、例えば、壁面に設置される火災感知器においては、ベース本体１の外周面１ｂに方向表示部１１を設けても良い。
【００３１】
（５）上記実施形態においては、方向表示部１１を、感知器本体２をベース本体１に取付けた際に確認灯４側に位置する様に設けたが、方向表示部１１を、起点Ｓの近傍に設けることも可能である。ここで、「起点Ｓ」とは、確認灯４の位置を基準とした感知器本体２の回動の起点であり、感知器本体２を回動させる前の確認灯４の初期位置に相当する。
【００３２】
又、「起点Ｓの近傍」とは、起点Ｓを基準として、方向表示部１１が、方向表示部としての機能を果たし得る範囲を指し、本実施形態においては、平面視においてベース本体１の中心Ｏを中心として起点Ｓから±35°の領域である。尚、起点Ｓに、終点表示部９と同様の起点表示部を設けることも可能である。
【符号の説明】
【００３３】
１      ベース本体          １ａ    天壁                １ｂ    外周面      
２      感知器本体          ２ａ    外周面              ３      刃金具
４      確認灯              ５      周壁                ６      螺子止部
７      接触バネ            ８      刃受金具            ９      終点表示部
１０Ａ  レーザ印字部        １０Ｂ  レーザ印字部        １０Ｃ  レーザ印字部
１０Ｄ  レーザ印字部        １１    方向表示部          Ｏ      中心  
Ｓ      起点
【図１】
2019174897.tif 000003
【図２】
2019174897.tif 000004